(57)【要約】      （修正有）【課題】別部材が不要で安定性の高い三脚の脚パイプ連結構造を提供する。【解決手段】三脚がセンターポールと、３つの脚パイプと、３つの支持部材と、三叉パーツとを備え、センターポールが三叉パーツを貫通し、脚パイプの一端が三叉パーツに枢動可能に連結され、支持部材の両端がそれぞれ脚パイプとセンターポールとに枢動可能に連結される。脚パイプ連結構造は、各脚パイプ２の外壁の適切な所に圧力をかけて凹みが形成され、かつ孔が設けられる扁平な固定部２１と、扁平な固定部と脚パイプの未変形部位との間に設けられる凹斜面と、支持部材３の一端が巻かれて形成され、貫通孔を有し、貫通孔の周縁に巻回される巻き部と、締結部材Ｓと、を含む。扁平な固定部の孔と巻き部の貫通孔の位置を合わせて、締結部材を孔と貫通孔に貫通させ、締結部材をピボット軸とすることで、脚パイプと支持部材が枢動可能に連結される。【選択図】図３Ｃ
0003225085.tif 000002
【実用新案登録請求の範囲】
【請求項１】
三脚の脚パイプ連結構造であって、
前記三脚は、センターポールと、３つの脚パイプと、３つの支持部材と、三叉パーツとを備え、
前記センターポールは、前記三叉パーツを貫通し、
前記脚パイプの一端は、前記三叉パーツに枢動可能に連結され、
前記支持部材の両端は、それぞれ前記脚パイプと前記センターポールに枢動可能に連結され、
前記脚パイプ連結構造は、
各前記脚パイプの外壁の所定の所に圧力をかけて凹みを生じさせることによって形成され、且つ孔が設けられる扁平な固定部と、
前記扁平な固定部と前記脚パイプの未変形部位との間に設けられる凹斜面と、
前記支持部材の一端が巻かれることによって形成され、貫通孔を有し、かつ前記貫通孔の周縁に巻回される巻き部と、
締結部材と、を含み、
前記扁平な固定部の前記孔と前記巻き部の前記貫通孔との位置を合わせて、前記締結部材を前記孔と前記貫通孔に貫通させ、前記締結部材をピボット軸とすることにより、前記脚パイプと前記支持部材とが枢動可能に連結されることを特徴とする、三脚の脚パイプ連結構造。
【請求項２】
前記支持部材の巻き部に切欠き部が設けられ、前記切欠き部によって前記巻き部の前記貫通孔が分離した２つの貫通孔に分けられ、前記扁平な固定部が前記切欠き部に嵌入され、前記扁平な固定部の前記孔と前記分離した貫通孔との位置を合わせて、前記締結部材を前記孔と前記分離した２つの貫通孔に貫通させ、前記締結部材をピボット軸とすることにより、前記脚パイプと前記支持部材とが枢動可能に連結されることを特徴とする、請求項１に記載の三脚の脚パイプ連結構造。
【請求項３】
前記凹斜面は、楕円形状であることを特徴とする、請求項１に記載の三脚の脚パイプ連結構造。
【請求項４】
前記扁平な固定部は、水滴形状であることを特徴とする、請求項１に記載の三脚の脚パイプ連結構造。
【請求項５】
前記扁平な固定部に突出部があることを特徴とする、請求項１に記載の三脚の脚パイプ連結構造。
【考案の詳細な説明】
【技術分野】
【０００１】
本考案は、三脚の脚パイプ連結構造に関し、特に、３つの支持部材を有する三脚の脚パイプ連結構造に関する。
【背景技術】
【０００２】
従来の三脚の脚パイプ連結構造は、３つの脚パイプと３つの横支持部材との連結構造として、主に２種類の態様がある。
（１）横支持部材の両端がそれぞれ脚パイプとセンターポールに固定され、かつ、脚パイプとセンターポールとが横支持部材の同じ側に位置する。
（２）横支持部材の両端がそれぞれ別部材を介して脚パイプとセンターポールに連結される。
【考案の概要】
【考案が解決しようとする課題】
【０００３】
上述の（１）の脚パイプ連結構造においては、脚パイプとセンターポールにそれぞれ孔が設けられ、横支持部材がねじやブラインドリベットを介して脚パイプとセンターポールのそれぞれの孔に直接固定されるので、別部材が不要となる。この態様の欠点としては、脚パイプとセンターポールとが横支持部材の同じ側に位置するので、収納・展開動作を行う時に、横支持部材に加わる牽引力が不均衡となり、脚パイプ連結構造が不安定となる点が挙げられる。
【０００４】
また、上述の（２）の脚パイプ連結構造において、連結部材は、それぞれ脚パイプとセンターポールに覆設され、かつ別部材を介して横支持部材の両端に連結される。このような脚パイプ連結構造は、上記の（１）の脚パイプ連結構造に比べ、センターポールと脚パイプとの間に横方向の支持を与えるため、安定性がより高い。この態様の欠点としては、別部材が必要であるので、脚パイプ全体の収納体積が増加し、製造に時間がかかり、メンテナンス時に部材がなくなりやすいなどの点が挙げられる。
【０００５】
上記のような従来の三脚の脚パイプ連結構造の問題を解決するため、本考案に係る三脚の脚パイプ連結構造は、脚パイプの外壁の適切な所に圧力をかけて凹みを生じさせることにより、孔が設けられる扁平な固定部が形成される。また、支持部材の一端が巻かれることによって巻き部と貫通孔とが形成され、かつ巻き部が貫通孔の周縁に巻回される。さらに、扁平な固定部の孔と支持部材の貫通孔との位置を合わせて、締結部材を孔と貫通孔に貫通させることにより、脚パイプと支持部材とが枢動可能に連結される。このような三脚の脚パイプ連結構造は、体積の増加や別部材による問題を防止でき、また、三脚の安定性が増す。
【課題を解決するための手段】
【０００６】
上記課題を解決するために、本考案に係る三脚の脚パイプ連結構造においては、三脚がセンターポールと、３つの脚パイプと、３つの支持部材と、三叉パーツと、を備え、前記センターポールが前記三叉パーツを貫通し、前記脚パイプの一端が前記三叉パーツに枢動可能に連結され、前記支持部材の両端がそれぞれ前記脚パイプと前記センターポールに枢動可能に連結される。前記脚パイプ連結構造は、各前記脚パイプの外壁の適切な所に圧力をかけて凹みを生じさせることによって形成され、かつ孔が設けられる扁平な固定部と、前記扁平な固定部と前記脚パイプの未変形部位との間に設けられる凹斜面と、前記支持部材の一端が巻かれることによって形成され、貫通孔を有し、かつ前記貫通孔の周縁に巻回される巻き部と、締結部材と、を含む。前記扁平な固定部の前記孔と前記巻き部の前記貫通孔との位置を合わせて、前記締結部材を前記孔と前記貫通孔に貫通させ、前記締結部材をピボット軸とすることにより、前記脚パイプと前記支持部材とが枢動可能に連結される。
【０００７】
好ましくは、前記支持部材の巻き部に切欠き部が設けられ、前記切欠き部によって前記巻き部の前記貫通孔が分離した２つの貫通孔に分けられ、前記扁平な固定部が前記切欠き部に嵌入され、前記扁平な固定部の前記孔と前記分離した貫通孔との位置を合わせて、前記締結部材を前記孔と前記分離した２つの貫通孔に貫通させ、前記締結部材をピボット軸とすることにより、前記脚パイプと前記支持部材とが枢動可能に連結される。
【０００８】
好ましくは、前記凹斜面は楕円形状である。
【０００９】
好ましくは、前記扁平な固定部は水滴形状である。
【００１０】
好ましくは、前記扁平な固定部に突出部が形成される。
【考案の効果】
【００１１】
本考案の効果として、前記脚パイプと前記支持部材とは、前記締結部材を前記扁平な固定部の孔と前記巻き部の貫通孔に貫通させることにより枢動可能に連結されることにより、体積の増加と別部材による問題を有効に防止できる。
【図面の簡単な説明】
【００１２】
【図１】本考案に係る第１実施例の展開状態を示す概略図である。
【図２】本考案に係る第１実施例の収納状態を示す概略図である。
【図３Ａ】本考案に係る第１実施例の前記脚パイプと前記支持部材との一部概略分解図である。
【図３Ｂ】本考案に係る第１実施例の組立前の前記脚パイプと前記支持部材との一部概略図である。
【図３Ｃ】本考案に係る第１実施例の組立後の前記脚パイプと前記支持部材との一部概略図である。
【図４Ａ】本考案に係る第２実施例の前記脚パイプと前記支持部材との一部概略分解図である。
【図４Ｂ】本考案に係る第２実施例の組立前の前記脚パイプと前記支持部材との一部概略図である。
【図４Ｃ】本考案に係る第２実施例の組立後の前記脚パイプと前記支持部材との一部概略図である。
【図５】本考案に係る第２実施例の展開状態を示す概略図である。
【図６Ａ】本考案に係る第３実施形態の脚パイプの一部概略図である。
【図６Ｂ】本考案に係る第３実施形態の脚パイプの概略底面図である。
【考案を実施するための形態】
【００１３】
以下、図１〜図６Ｂを参照しながら、本考案の実施形態を説明する。なお、下記説明は、本考案の好ましい実施例に過ぎず、本考案を制限するものではない。
【００１４】
図１〜図３Ｃに示されるように、本考案に係る第１実施例の三脚１００の脚パイプ連結構造においては、前記三脚１００がセンターポール１と、３つの脚パイプ２と、３つの支持部材３と、三叉パーツ４と、を備える。前記センターポール１が前記三叉パーツ４を貫通し、前記脚パイプ２の一端が前記三叉パーツ４に枢動可能に連結され、前記支持部材３の両端がそれぞれ前記脚パイプ２と前記センターポール１に枢動可能に連結される。前記脚パイプ連結構造は、特徴として、各前記脚パイプ２の外壁の適切な所に圧力をかけて凹みを生じさせることによって形成され、かつ孔２１１が設けられる扁平な固定部２１と、前記扁平な固定部２１と前記脚パイプ２の未変形部位との間に設けられる凹斜面２２と、前記支持部材３の一端が巻かれることによって形成され、貫通孔３２を有し、かつ前記貫通孔３２の周縁に巻回される巻き部３１と、締結部材Ｓと、を含む。
【００１５】
前記凹斜面２２は、前記脚パイプ２の両端にそれぞれ伸び、前記扁平な固定部２１の形成時の脚パイプ２に対して生じる推力又は引き力を吸収することにより、前記扁平な固定部２１の周縁の任意の横断面においても前記脚パイプ２の未変形部位が保持され、過度の変形が前記脚パイプ２の強度に影響を及ぼすことを防止できる。
【００１６】
前記扁平な固定部２１の前記孔２１１と前記巻き部３１の前記貫通孔３２との位置を合わせて、前記締結部材Ｓを前記孔２１１と前記貫通孔３２に貫通させ、前記締結部材Ｓをピボット軸とすることにより、前記脚パイプ２と前記支持部材３とが枢動可能に連結される。本実施例の前記締結部材Ｓは、ねじ・ナットセットであるが、ブラインドリベットやリベット等であってもよい。
【００１７】
図１は、第１実施例１の三脚１００の脚パイプ連結構造の展開状態を示す概略図であり、図２は、第１実施例の三脚１００の脚パイプ連結構造の収納状態を示す概略図である。展開状態と収納状態との間で、各前記締結部材Ｓをピボット軸とすることにより、各前記脚パイプ２と各前記支持部材３とが枢動可能に連結される。
【００１８】
また、図３Ａは、第１実施例の前記脚パイプと前記支持部材との一部概略分解図であり、図３Ｂは、第１実施例の組立前の前記脚パイプと前記支持部材との一部概略図であり、図３Ｃは、第１実施例の組立後の前記脚パイプと前記支持部材との一部概略図である。本実施例の図３Ａにおいては、前記扁平な固定部２１は、各前記脚パイプ２の外壁の適切な所に圧力をかけて凹みを生じさせることによって形成され、かつ孔２１１が設けられる。また、前記巻き部３１は、前記支持部材３の一端が巻かれることによって形成され、貫通孔３２を有し、かつ前記貫通孔３２の周縁に巻回される。本実施例の図３Ｂにおいては、前記扁平な固定部２１の前記孔２１１と前記巻き部３１の前記貫通孔３２との位置合わせがなされている。本実施例の図３Ｃにおいては、前記締結部材Ｓがピボット軸Ｌに沿って前記孔２１１と前記貫通孔３２を貫通し、前記締結部材Ｓをピボット軸とすることにより、前記脚パイプ２と前記支持部材３とが枢動可能に連結される。
【００１９】
好ましくは、図４Ａ〜図４Ｃに示される第２実施例である。図４Ａは、前記脚パイプと前記支持部材との一部概略分解図であり、図４Ｂは、組立前の前記脚パイプと前記支持部材との一部概略図であり、図４Ｃは、組立後の前記脚パイプと前記支持部材との一部概略図である。本実施例の図４Ａにおいては、前記支持部材の巻き部に切欠き部３３が設けられ、前記切欠き部３３によって前記巻き部３１の前記貫通孔３２が分離した２つの貫通孔３２１に分けられる。本実施例の図４Ｂにおいては、前記扁平な固定部２１が前記切欠き部３３に嵌入され、前記扁平な固定部２１の前記孔２１１と前記分離式貫通孔３２１との位置合わせがなされている。本実施例の図４Ｃにおいては、前記締結部材Ｓがピボット軸Ｌに沿って前記孔２１１と前記分離した２つの貫通孔３２１を貫通し、前記締結部材Ｓをピボット軸とすることにより、前記脚パイプ２と前記支持部材３とが枢動可能に連結される。本実施例によれば、脚パイプ連結構造の安定性が増す。
【００２０】
図５は、三脚１００の脚パイプ連結構造の展開状態の概略図である。前記展開状態では、各前記締結部材Ｓをピボット軸とすることにより、各前記脚パイプ２と各前記支持部材３とが枢動可能に連結される。
【００２１】
図６Ａに示される第３実施例には、前記凹斜面２２が楕円形状であるが、他の形状、例えば、蝶の形状などであってもよい。
【００２２】
図６Ａに示されるように、前記扁平な固定部２１は水滴形状２１２である。前記支持部材３の枢動角度は、前記水滴形状２１２の曲率によって決定されてもよい。
【００２３】
図６Ａ、図６Ｂに示されるように、前記扁平な固定部２１に突出部２１３が形成される。前記突出部２１３によって前記扁平な固定部２１が延出され、前記孔２１１が前記脚パイプ２の外縁により近い位置に設置され、前記脚パイプ２の未変形部分をより多く保持でき、本考案の強度が増す。
【００２４】
上記説明は、本考案の好ましい実施例を説明するためのものに過ぎず、当業者であれば、下記の実用新案登録請求の範囲と上記の説明とに基づいて他の変更をすることができる。ただし、前記変更は、本考案の趣旨を逸脱しないものであるべきであり、かつ本考案の実用新案登録請求の範囲に含まれるべきである。
【符号の説明】
【００２５】
１００  三脚
１      センターポール
２      脚パイプ
２１    扁平な固定部
２１１  孔
２１２  水滴形状
２１３  突出部
２２    凹斜面
３      支持部材
３１    巻き部
３２    貫通孔
３２１  分離した貫通孔
３３    切欠き部
４      三叉パーツ
Ｓ      締結部材
Ｌ      ピボット軸
【図１】
0003225085.tif 000003
【図２】
0003225085.tif 000004
【図３Ａ】
0003225085.tif 000005
【図３Ｂ】
0003225085.tif 000006
【図３Ｃ】
0003225085.tif 000007
【図４Ａ】
0003225085.tif 000008
【図４Ｂ】
0003225085.tif 000009
【図４Ｃ】
0003225085.tif 000010
【図５】
0003225085.tif 000011
【図６Ａ】
0003225085.tif 000012
【図６Ｂ】
0003225085.tif 000013